(57)【要約】【課題】ポンプを構成する部材、特に吐出ヘッド、装着キャップ等の色や形状などの変更が行いやすく、様々な形態を容易に選択形成することができるポンプを提案する。【解決手段】装着キャップＡにより容器体に装着固定して、容器体内に垂下するシリンダＢと、シリンダＢに対して上方付勢状態で上下動可能に装着した作動部材Ｃとを備え、作動部材Ｃの上下動により容器体内の液を汲み上げ吐出するポンプであって、作動部材Ｃの上端を構成する吐出ヘッドＣ４は、ステムＣ１内より吐出口ｈに至る流路ｐを備え、且つ、ステムＣ１上端に嵌着するアダプターＣ４ａと、アダプターＣ４ａに嵌着するカバー体Ｃ４ｂとで構成してなり、ポンプ全体を、カバー体Ｃ４ｂを除いた作動部材ＣをシリンダＢに対して押し下げ係止してモジュール化したポンプ基体Ｘと、ポンプ基体Ｘに対して組み付ける装着キャップＡ及びカバー体Ｃ４ｂとで構成した。【選択図】図３
2015030461.tif 000002
【特許請求の範囲】
【請求項１】
装着キャップ（Ａ）により容器体（１００）に装着固定して、容器体（１００）内に垂下するシリンダ（Ｂ）と、シリンダ（Ｂ）に対して上方付勢状態で上下動可能に装着した作動部材（Ｃ）とを備え、作動部材（Ｃ）の上下動により容器体（１００）内の液を汲み上げ吐出するポンプであって、
作動部材（Ｃ）の上端を構成する吐出ヘッド（Ｃ４）は、ステム（Ｃ１）内より吐出口ｈに至る流路（ｐ）を備え、且つ、ステム（Ｃ１）上端に嵌着するアダプター（Ｃ４ａ）と、アダプター（Ｃ４ａ）に嵌着するカバー体（Ｃ４ｂ）とで構成してなり、
ポンプ全体を、カバー体（Ｃ４ｂ）を除いた作動部材（Ｃ）をシリンダ（Ｂ）に対して押し下げ係止してモジュール化したポンプ基体（Ｘ）と、ポンプ基体（Ｘ）に対して組み付ける装着キャップ（Ａ）及びカバー体（Ｃ４ｂ）とで構成したことを特徴とするポンプ。
【請求項２】
装着キャップ（Ａ）を、周壁（１０）の上端部より内方へフランジ状の頂壁（１１）を延設した形態とするとともに、アダプター（Ｃ４ａ）外周部を介して、シリンダ（Ｂ）外周上部に突設したフランジ（２０）上への組み付けが可能に構成し、
カバー体（Ｃ４ｂ）をアダプター（Ｃ４ａ）上方よりの嵌着が可能に構成した請求項１に記載のポンプ。
【請求項３】
アダプター（Ｃ４ａ）は、ステム（Ｃ１）の上端に嵌着してステム（Ｃ１）内と連通し、内部に流路（ｐ）の一部を画成する縦筒（６０）と、作動部材（Ｃ）の押し下げ状態でシリンダ（Ｂ）に対して直接或いは間接に係止可能な係合筒（６１）と、縦筒（６０）の上部に一端を開口するとともに、他端を係合筒（６１）に開口し、内部に流路（ｐ）の一部を画成する横筒（６２）とを備え、周壁（１０）上端縁より内方へフランジ状の頂壁（１１）を突設した装着キャップ（Ａ）の、係合筒（６１）の外周部を通り、シリンダ（Ｂ）外周上部に突設したフランジ（２０）上への組み付けが可能に構成し、
カバー体（Ｃ４ｂ）は、アダプター（Ｃ４ａ）の上面及び周面に被覆嵌合するカバー筒部（７０）と、一端を横筒（６２）の先端開口に連通するとともに、他端を吐出口（ｈ）として開口し、内部に流路（ｐ）の一部を画成するノズル部（７１）とを備えている請求項１又は請求項２のいずれか１項に記載のポンプ。
【請求項４】
アダプター（Ｃ４ａ）は、ステム（Ｃ１）の上端に嵌着してステム（Ｃ１）内と連通し、内部に流路（ｐ）の一部を画成する縦筒（６０）と、作動部材（Ｃ）の押し下げ状態でシリンダ（Ｂ）に対して直接或いは間接に係止可能な係合筒（６１）と、縦筒（６０）の上部に一端を開口するとともに、係合筒（６１）外方へノズル（６７）として突設して他端に吐出口（ｈ）を開口し、内部に流路（ｐ）の一部を画成する横筒（６２）とを備え、周壁（１０）上端縁より内方へフランジ状の頂壁（１１）を突設した装着キャップ（Ａ）の、ノズル（６７）周囲を介して係合筒（６１）外周を通り、シリンダ（Ｂ）外周上部に突設したフランジ（２０）上への組み付けが可能に構成し、
カバー体（Ｃ４ｂ）は、アダプター（Ｃ４ａ）の上面及び周面に被覆嵌合するカバー筒部（７０）と、ノズル（６７）の上面及び両側面を被覆するノズル被覆部（７４）とを備えている請求項１又は請求項２のいずれか１項に記載のポンプ。
【請求項５】
アダプター（Ｃ４ａ）、カバー体（Ｃ４ｂ）、装着キャップ（Ａ）の色、模様、形状等の異なるものを複数用意して、それらを選択的に組み合わせて形成した請求項１乃至請求項４のいずれか１項に記載のポンプ。
【発明の詳細な説明】
【技術分野】
【０００１】
本発明はポンプに関する。
【背景技術】
【０００２】
容器体に装着して容器体内の液を汲み出すポンプとして、装着キャップにより容器体に装着固定して、容器体内に垂下するシリンダと、シリンダに対して上方付勢状態で上下動可能に装着した作動部材とを備え、作動部材の上下動により容器体内の液を汲み上げ吐出する形態のものが種々提案されている。（例えば、特許文献１参照）
【０００３】
上記ポンプは、シリンダの底部に、容器体内からシリンダ内に一方的に流通する第１逆止弁を備えている。また、作動部材は、上端に吐出ヘッドを嵌着してシリンダ内に上方付勢状態で上下動可能に装着されたステムに対して、相対上下動が可能に環状のピストンを装着して構成されており、この環状のピストンによりシリンダ内からステム内へ一方的に流通する第２逆止弁を構成している。
【先行技術文献】
【特許文献】
【０００４】
【特許文献１】特開２０１２−１５８３６０号公報
【発明の概要】
【発明が解決しようとする課題】
【０００５】
上記従来のポンプでは、吐出ヘッドは全体を一体に形成されており、この一体に形成された吐出ヘッドをステムの上端に嵌着する如く構成されている。また、作動部材は一般に、それを構成する各部材、例えばステム、吐出ヘッド、環状ピストン、ピストンガイド等を、ポンプ成形時に組み立て、シリンダに対して組み付けている。
【０００６】
本発明は上記した形態の縦型のポンプに於いて、ポンプを構成する部材、特に吐出ヘッド、装着キャップ等の色や形状などの変更が行いやすく、様々な形態を容易に選択形成することができるポンプを提案する。
【課題を解決するための手段】
【０００７】
第１の手段として、以下の通り構成した。即ち、
装着キャップＡにより容器体１００に装着固定して、容器体１００内に垂下するシリンダＢと、シリンダＢに対して上方付勢状態で上下動可能に装着した作動部材Ｃとを備え、作動部材Ｃの上下動により容器体１００内の液を汲み上げ吐出するポンプであって、
作動部材Ｃの上端を構成する吐出ヘッドＣ４は、ステムＣ１内より吐出口ｈに至る流路ｐを備え、且つ、ステムＣ１上端に嵌着するアダプターＣ４ａと、アダプターＣ４ａに嵌着するカバー体Ｃ４ｂとで構成してなり、
ポンプ全体を、カバー体Ｃ４ｂを除いた作動部材ＣをシリンダＢに対して押し下げ係止してモジュール化したポンプ基体Ｘと、ポンプ基体Ｘに対して組み付ける装着キャップＡ及びカバー体Ｃ４ｂとで構成した。
【０００８】
第２の手段として、以下の通り構成した。即ち、前記第１の手段に於いて、
装着キャップＡを、周壁１０の上端部より内方へフランジ状の頂壁１１を延設した形態とするとともに、アダプターＣ４ａ外周部を介して、シリンダＢ外周上部に突設したフランジ２０上への組み付けが可能に構成し、
カバー体Ｃ４ｂをアダプターＣ４ａ上方よりの嵌着が可能に構成した。
【０００９】
第３の手段として、以下の通り構成した。即ち、前記第１の手段又は第２の手段のいずれかの手段に於いて、
アダプターＣ４ａは、ステムＣ１の上端に嵌着してステムＣ１内と連通し、内部に流路ｐの一部を画成する縦筒６０と、作動部材Ｃの押し下げ状態でシリンダＢに対して直接或いは間接に係止可能な係合筒６１と、縦筒６０の上部に一端を開口するとともに、他端を係合筒６１に開口し、内部に流路ｐの一部を画成する横筒６２とを備え、周壁１０上端縁より内方へフランジ状の頂壁１１を突設した装着キャップＡの、係合筒６１の外周部を通り、シリンダＢ外周上部に突設したフランジ２０上への組み付けが可能に構成し、
カバー体Ｃ４ｂは、アダプターＣ４ａの上面及び周面に被覆嵌合するカバー筒部７０と、一端を横筒６２の先端開口に連通するとともに、他端を吐出口ｈとして開口し、内部に流路ｐの一部を画成するノズル部７１とを備えている。
【００１０】
第４の手段として、以下の通り構成した。即ち、前記第１の手段又は第２手段のいずれかの手段に於いて、
アダプターＣ４ａは、ステムＣ１の上端に嵌着してステムＣ１内と連通し、内部に流路ｐの一部を画成する縦筒６０と、作動部材Ｃの押し下げ状態でシリンダＢに対して直接或いは間接に係止可能な係合筒６１と、縦筒６０の上部に一端を開口するとともに、係合筒６１外方へノズル６７として突設して他端に吐出口ｈを開口し、内部に流路ｐの一部を画成する横筒６２とを備え、周壁１０上端縁より内方へフランジ状の頂壁１１を突設した装着キャップＡの、ノズル６７周囲を介して係合筒６１外周を通り、シリンダＢ外周上部に突設したフランジ２０上への組み付けが可能に構成し、
カバー体Ｃ４ｂは、アダプターＣ４ａの上面及び周面に被覆嵌合するカバー筒部７０と、ノズル６７の上面及び両側面を被覆するノズル被覆部７４とを備えている。
【００１１】
第５の手段として、以下の通り構成した。即ち、前記第１の手段乃至第４の手段のいずれかの手段に於いて、
アダプターＣ４ａ、カバー体Ｃ４ｂ、装着キャップＡの色、模様、形状等の異なるものを複数用意して、それらを選択的に組み合わせて形成した。
【発明の効果】
【００１２】
本発明によれば、作動部材Ｃの上端を構成する吐出ヘッドＣ４は、ステムＣ１内より吐出口ｈに至る流路ｐを備え、且つ、ステムＣ１上端に嵌着するアダプターＣ４ａと、アダプターＣ４ａに嵌着するカバー体Ｃ４ｂとで構成しており、また、ポンプ全体を、カバー体Ｃ４ｂを除いた作動部材ＣをシリンダＢに対して押し下げ係止してモジュール化したポンプ基体Ｘと、ポンプ基体Ｘに対して組み付ける装着キャップＡ及びカバー体Ｃ４ｂとで構成しているので、装着キャップＡやカバー体Ｃ４ｂの色、形態等を容易に変更できる利点があり、汎用性に富んだポンプを提案できる。また、装着キャップＡ及びカバー体Ｃ４ｂはポンプ基体Ｘへの後からの装着が可能であるため、別々の保管、輸送が可能であり、製造管理をより円滑に行える特徴もある。
【００１３】
装着キャップＡを、周壁１０の上端部より内方へフランジ状の頂壁１１を延設した形態とするとともに、アダプターＣ４ａ外周部を介して、シリンダＢ外周上部に突設したフランジ２０上への組み付けが可能に構成し、カバー体Ｃ４ｂをアダプターＣ４ａ上方よりの嵌着が可能に構成した場合には、ポンプ基体Ｘに対して、装着キャップＡ及びカバー体Ｃ４ｂの装着がきわめて容易となる。
【００１４】
アダプターＣ４ａは、ステムＣ１の上端に嵌着してステムＣ１内と連通し、内部に流路ｐの一部を画成する縦筒６０と、作動部材Ｃの押し下げ状態でシリンダＢに対して直接或いは間接に係止可能な係合筒６１と、縦筒６０の上部に一端を開口するとともに、他端を係合筒６１に開口し、内部に流路ｐの一部を画成する横筒６２とを備え、周壁１０上端縁より内方へフランジ状の頂壁１１を突設した装着キャップＡの、係合筒６１の外周部を通り、シリンダＢ外周上部に突設したフランジ２０上への組み付けが可能に構成し、カバー体Ｃ４ｂは、アダプターＣ４ａの上面及び周面に被覆嵌合するカバー筒部７０と、一端を横筒６２の先端開口に連通するとともに、他端を吐出口ｈとして開口し、内部に流路ｐの一部を画成するノズル部７１とを備えている場合には、ポンプ基体Ｘによる液漏れテストが可能であり、また、上記と同様に、汎用性に富んだポンプを提案でき、また、ポンプ基体Ｘに対して、装着キャップＡ及びカバー体Ｃ４ｂの装着がきわめて容易となる。
【００１５】
アダプターＣ４ａは、ステムＣ１の上端に嵌着してステムＣ１内と連通し、内部に流路ｐの一部を画成する縦筒６０と、作動部材Ｃの押し下げ状態でシリンダＢに対して直接或いは間接に係止可能な係合筒６１と、縦筒６０の上部に一端を開口するとともに、係合筒６１外方へノズル６７として突設して他端に吐出口ｈを開口し、内部に流路ｐの一部を画成する横筒６２とを備え、周壁１０上端縁より内方へフランジ状の頂壁１１を突設した装着キャップＡの、ノズル６７周囲を介して係合筒６１外周を通り、シリンダＢ外周上部に突設したフランジ２０上への組み付けが可能に構成し、カバー体Ｃ４ｂは、アダプターＣ４ａの上面及び周面に被覆嵌合するカバー筒部７０と、ノズル６７の上面及び両側面を被覆するノズル被覆部７４とを備えている場合には、上記と同様に、ポンプ基体Ｘによる液漏れテストが可能であり、また、汎用性に富んだポンプを提案でき、更に、ポンプ基体Ｘに対して、装着キャップＡ及びカバー体Ｃ４ｂの装着がきわめて容易となる。
【００１６】
アダプターＣ４ａ、カバー体Ｃ４ｂ、装着キャップＡの色、模様、形状等の異なるものを複数用意して、それらを選択的に組み合わせて形成した場合には、組み付け場所で多数の種類のポンプを形成できるという特徴がある。
【図面の簡単な説明】
【００１７】
【図１】作動部材の押し下げ係止状態のポンプの縦断面図である。（第１実施例）
【図２】使用時のポンプの縦断面図である。（第１実施例）
【図３】組み付け前のポンプの縦断面図である。（第１実施例）
【図４】作動部材の押し下げ係止状態のポンプの縦断面図である。（第２実施例）
【図５】使用時のポンプの縦断面図である。（第２実施例）
【図６】組み付け前のポンプの縦断面図である。（第２実施例）
【発明を実施するための形態】
【００１８】
以下、本発明の形態を図面を参照して説明する。
【００１９】
図１乃至図３は本発明のポンプの第１実施例を示す。ポンプ１は、図１及び図２に示す如く、装着キャップＡにより容器体１００に装着固定して、容器体１００内に垂下するシリンダＢと、シリンダＢに対して上方付勢状態で上下動可能に装着した作動部材Ｃとを備え、作動部材Ｃの上下動により容器体１００内の液を汲み上げ吐出する形態のものである。尚、説明の便宜上、図１の左方を前部、右方を後部、手前を右部、奥方を左部として説明する。
【００２０】
本発明では、後に詳述する如く、作動部材Ｃの上端を構成する吐出ヘッドＣ４を、アダプターＣ４ａと、カバー体Ｃ４ｂとで構成している。また、ポンプ１全体を、図３に示す如く、カバー体Ｃ４ｂを除いた作動部材ＣをシリンダＢに対して押し下げ係止してモジュール化したポンプ基体Ｘと、ポンプ基体Ｘに対して組み付ける装着キャップＡ及びカバー体Ｃ４ｂとで構成している。
【００２１】
装着キャップＡは、ポンプ１を容器体１００に固定するためのもので、容器体１００の口頸部１０１外周に嵌合させる周壁１０の上端よりフランジ状の頂壁１１を延設している。
【００２２】
ポンプ基体Ｘは、シリンダＢと、カバー体Ｃ４ｂを除いた作動部材とを備えている。
【００２３】
シリンダＢは、口頸部１０１上にパッキン２６を介して載置するフランジ２０を周壁部２１の外周上部より突設し、周壁部２１の下端縁より中央を開口した底壁部２２を延設し、底壁部２２の中央開口周縁より筒状の第１逆止弁座２３を立設している。周壁部２１の上部には外気導入孔２４を穿設している。また、底壁部２２下面中央部よりパイプ嵌合筒２５を一体に垂設し、パイプ嵌合筒２５に、図示しないが、吸上用のパイプの上端を嵌着し、その下端を容器体１００内下端部に垂下させる。
【００２４】
第１実施例では、シリンダＢの上端部に補助キャップ３０を嵌着している。補助キャップ３０は、シリンダＢの周壁部２１の外周上端部に、上方への抜け出しを防止して嵌合させた外嵌合筒と、周壁部２１の内周上端部に、回動を防止して嵌合させた内嵌合筒とを頂板で連結した装着基部３１を有し、装着基部３１の頂板内周縁部分より螺筒３２を起立している。
【００２５】
また、第１実施例では、シリンダＢ内下端部に逆止弁部材３５をは装着している。逆止弁部材３５は、シリンダＢの周壁部２１内周下端部に嵌着した嵌合筒３６の上端よりフランジ部を介して台座３７を立設している。嵌合筒３６外面はシリンダＢの周壁部２１内周に突設したアンダーカットに圧接係止されている。嵌合筒３６の下端部には、周方向複数の切欠きを設け、この切欠きと連通する隙間を嵌合筒３６の外面と周壁部２１の内面との間に形成している。また、嵌合筒３６の内周より周方向複数の弾性片３８を突設し、各弾性片３８を介して、第１逆止弁座２３上に圧接する第１逆止弁体３９を支持しており、この第１逆止弁体３９と第１逆止弁座２３とで第１逆止弁Ｖ１を形成している。
【００２６】
作動部材Ｃは、シリンダＢに対して上方付勢状態で上下動可能に組み付けしたもので、ステムＣ１と、ピストンガイドＣ２と、環状のピストンＣ３と、吐出ヘッドＣ４と、外気導入孔開閉部材Ｃ５とを備えている。
【００２７】
ステムＣ１は、上端に吐出ヘッドＣ４を嵌着して、下端部をシリンダＢ内に上方付勢状態で上下動可能に挿入し、下端部に相対上下動が可能に環状のピストンＣ３を装着した筒状をなし、シリンダＢ内の液を吐出ヘッドＣ４内に導入する導管の役割を果たす。
【００２８】
第１実施例では、筒状のステム本体部４０の下端部より、外向きのフランジ部を介して外筒部４１を、内向きのフランジ部を介して内筒部４２を、それぞれ垂設し、内向きのフランジ部から内筒部４２下方へ至る上下方向幅広の開口部４３を穿設している。
【００２９】
ピストンガイドＣ２は、内筒部４２の下端部に嵌着して、内筒部４２の下端開口を閉塞する嵌着基部５０を備え、嵌着基部５０の外周より外筒部４１下方位置に至る第２逆止弁座５１を突設している。また、第２逆止弁座５１の下面周縁部より下方に案内筒部５２を一体に垂設し、案内筒部５２の外周に周方向複数の案内突起５３を突設している。上記第２逆止弁座５１下面と逆止弁部材３５のフランジ部との間にコイルスプリングｓを介在させて、ステムＣ１を、牽いては作動部材Ｅを常時上方に付勢させている。
【００３０】
環状のピストンＣ３は、筒状の内部摺動部５５と、筒状の外部摺動部５６とを、それぞれの対向する上下中間部を連結部５７で連結した断面Ｈ状をなす環状に形成されている。内部摺動部５５は第２逆止弁座５１とで第２逆止弁Ｖ２を構成するもので、ステムＣ１の内筒部４２と離間位置を上下動するとともに、上端部を外筒部４１内周に摺動可能に嵌合させている。また、外部摺動部５６はシリンダＢ内周に摺動可能に嵌合させている。従って、ピストンＣ３は第２逆止弁体を兼用する内部摺動部５５の下端部が第２逆止弁座５１に圧接する位置から、連結部５７の上面が外筒部４１下面に当接する位置までの間を、ステムＣ１に対して相対上下動が可能に装着されている。
【００３１】
吐出ヘッドＣ４は、ステムＣ１内より吐出口ｈに至る流路ｐを備えており、また、ステムＣ１上端に嵌着するアダプターＣ４ａと、アダプターＣ４ａに嵌着するカバー体Ｃ４ｂとで構成している。
【００３２】
アダプターＣ４ａは、ステムＣ１の上端に嵌着してステムＣ１内と連通し、内部に流路ｐの一部を画成する縦筒６０と、作動部材Ｃの押し下げ状態でシリンダＢに対して補助キャップ３０を介して間接的に係止可能な係合筒６１と、縦筒６０の上部に一端を開口するとともに、他端を係合筒６１に開口し、内部に流路ｐの一部を画成する横筒６２とを備えている。
【００３３】
第１実施例では、頂板６３の裏面中央部より垂設した縦筒６０を、係止段部６４を介して下部外周を小径化し、その小径化部分をステムＣ１の内周上端部に嵌着させて、ステムＣ１に対して装着しており、また、頂板６３の外周縁より内周下部に螺条を刻設した係合筒６１を垂設している。また、係合筒６１の外周下部には係止突条６５を周設し、外周上部には、複数の係止溝６６を凹設している。更に、縦筒６０の前部上部に一端を開口し、他端を係合筒６１の前部に開口した横筒６２を設けている。そして、係合筒６１内周に刻設した螺条を補助キャップ３０の螺筒３２に螺合させて、作動部材Ｃを押し下げた状態でのシリンダＢに対する係止状態を維持可能に構成している。
【００３４】
また、アダプターＣ４ａは、装着キャップＡの、係合筒６１の外周部を通り、シリンダＢ外周上部に突設したフランジ２０上への組み付けが可能に構成されている。第１実施例では、図３に示すポンプ基体Ｘの上方より係合筒６１の外周を通り、図１に示す如く、シリンダＢのフランジ２０上にフランジ状の頂壁１１が当接載置されて、装着キャップＡが組み付けられている。
【００３５】
カバー体Ｃ４ｂは、アダプターＣ４ａの上面及び周面に被覆嵌合するカバー筒部７０と、一端を横筒６２の先端開口に連通するとともに、他端を吐出口ｈとして開口し、内部に流路ｐの一部を画成するノズル部７１とを備えている。尚、第１実施例では、カバー体は全体的に薄肉に形成されている。
【００３６】
第１実施例では、カバー筒部７０は、頂壁７０ａの裏面周縁部より周壁７０ｂを垂設した伏皿状をなし、このカバー筒部７０には、頂壁７０ａの外周縁より垂設した外周壁７０ｃを付設している。また、カバー筒部周壁７０ｂの前部に一端を開口し、外周壁７０ｃを貫通して他端を吐出口ｈとして開口したノズル部７１を一体に形成している。更に、カバー筒部周壁７０ｂの内周下部には係合突条７２を、内周上部には複数の係合凸部７３を突設している。
【００３７】
そして、カバー筒部７０を、アダプターＣ４ａの上方より、係合筒６１外周に嵌着して、アダプターＣ４ａにカバー体Ｃ４ｂを装着している。その際、アダプターＣ４ａの係止突条６５に係合突条７２を乗り越え係合させて抜け出しの防止を図っており、また、アダプターＣ４ａの各係止溝６６に各係合凸部７３を嵌合させて、アダプターＣ４ａの横筒６２とノズル部７１との正確な位置併せを可能にしている。
【００３８】
外気導入孔開閉部材Ｃ５は、ステムＣ１の外周上部に、ステムＣ１に対して相対上下動が可能に装着している。外気導入孔開閉部材Ｃ５は、ステムＣ１外周に上端部を、外気の導入が可能な程度の隙間をあけて摺動可能に嵌合させた基筒部８０を備えており、ステムＣ１と基筒部８０との隙間からの液の浸入を極力防止できる構造となっている。また、基筒部８０の下端より、外気導入孔２４を開閉する開閉筒部８１を突設している。そして、使用時の作動部材Ｃが最上昇位置にある場合には、或いは液の吐出のために作動部材Ｃを押し下げた際には、図２に示す如く、開閉筒部８１が外気導入孔２４上方位置にあり外気導入孔２４を開放している。尚、図示していないが、液の吐出のための作動部材Ｃの押し下げ位置では、縦筒６０上部の係止段部６４が基筒部８０の上面を押圧しない。また、図１にある如く、作動部材Ｃの押し下げ係止時には開閉筒部８１が外気導入孔２４を閉塞する如く構成している。
【００３９】
従って、第１実施例では、上記した補助キャップ３０及び逆止弁部材３５を備えたシリンダＢに対して、カバー体Ｃ４ｂを除いた作動部材ＣをシリンダＢに対して押し下げ係止してモジュール化したポンプ基体Ｘを構成している。尚、このポンプ基体Ｘは単独の液漏れテストが可能である。
【００４０】
この様に構成されたポンプ基体Ｘに対し、上記した装着キャップＡ、カバー体Ｃ４ｂを組み付けてポンプ１を形成する。その際、アダプターＣ４ａ、カバー体Ｃ４ｂ、装着キャップＡの色、模様、形状等の異なるものを複数用意して、それらを選択的に組み合わせて形成することが可能であり、汎用性に富んだ複数種類のポンプを容易に形成することが可能である。
【００４１】
上記ポンプ１は、図２の状態から、吐出ヘッドＣ４を押し下げるとシリンダＢ内の液が加圧され、液圧で押し上げられた環状のピストンＣ３がステムＣ１に対して相対的に上昇して第２逆止弁Ｖ２が開き、加圧液が第２逆止弁Ｖ２、開口部４３を介してステムＣ１内に導入され、次いで吐出ヘッドＣ４の流路ｐを介して吐出口ｈより外部に吐出される。吐出ヘッドＣ４の押圧を解除すると、コイルスプリングｓの上方付勢力により作動部材Ｃが上昇し、その際シリンダＢ内の負圧化によりピストンＣ３がステムＣ１に対して相対的に下降して第２逆止弁Ｖ２が閉じ、また、第１逆止弁Ｖ１が開いて容器体１００内の液がシリンダＢ内に導入される。
【００４２】
不使用時には、図１に示す如く、作動部材Ｃを押し下げて吐出ヘッドＣ４の係合筒６１を補助キャップＣの螺筒３２に螺着して、作動部材Ｅの下降状態で係止することができる。この際、外気導入孔開閉部材Ｃ５が押し下げられて、開閉筒部８１が外気導入孔２４を閉塞する。
【００４３】
図４乃至図６は第２実施例を示し、第１実施例に於いて吐出ヘッドＣ４の形態が異なるものを採用した例を示す。
【００４４】
アダプターＣ４ａは、ステムＣ１の上端に嵌着してステムＣ１内と連通し、内部に流路ｐの一部を画成する縦筒６０と、作動部材Ｃの押し下げ状態でシリンダＢに対して直接或いは間接に係止可能な係合筒６１と、縦筒６０の上部に一端を開口するとともに、係合筒６１外方へノズル６７として突設して他端に吐出口ｈを開口し、内部に流路ｐ一部を画成する横筒６２とを備えている。
【００４５】
具体的には、頂板６３の裏面中央部より垂設した縦筒６０を、係止段部６４を介して下部外周を小径化し、その小径化部分をステムＣ１の内周上端部に嵌着させて、ステムＣ１に対して装着しており、また、頂板６３の外周縁より内周下部に螺条を刻設した係合筒６１を垂設している。また、係合筒６１の外周下部には係止突条６５を周設し、外周上部には、複数の係止溝６６を凹設している。更に、縦筒６０の上部前面に一端を開口するとともに、係合筒６１外方へノズル６７として突設して他端に吐出口ｈを開口し、内部に流路ｐ一部を画成する横筒６２を一体に延設している。
【００４６】
また、アダプターは、装着キャップＡの、ノズル６７周囲を介して係合筒６１外周を通り、シリンダＢ外周上部に突設したフランジ２０上への組み付けが可能に構成されている。第２実施例では、図６に示すポンプ基体Ｘの前方よりノズル６７周囲を介して係合筒６１外周を通り、図４に示す如く、シリンダＢのフランジ２０上にフランジ状の頂壁１１が当接載置されて装着キャップＡが装着される如く構成されている。
【００４７】
カバー体Ｃ４ｂは、アダプターＣ４ａの上面及び周面に被覆嵌合するカバー筒部７０と、ノズル６７の上面及び両側面を被覆するノズル被覆部７４とを備えている。尚、第２実施例では、カバー体は全体的に薄肉に形成されている。
【００４８】
第２実施例では、カバー筒部７０は、頂壁７０ａの裏面周縁部より周壁７０ｂを垂設した伏皿状をなし、このカバー筒部には、頂壁７０ａの外周縁より垂設した外周壁７０ｃを付設している。また、周壁７０ｂの前部には、アダプターＣ４ａのノズル６７を挿通嵌合するための切欠き窓７５を下端縁より上方に穿設しており、また、周壁７０ｂの前部上部からは、外周壁７０ｃの前部を貫通してノズル６７の上面及び両側面を被覆する開環状のノズル被覆部７４を延設している。尚、本例では、ノズル被覆部７４を前記した如く構成しているが、筒状のノズル被覆部７４に長手方向に沿ってスリット状の切溝を入れることでノズル全体を被覆嵌合する如く構成することも可能である。
【００４９】
そして、アダプターＣ４ａの上方より、カバー筒部７０を係合筒６１外周に嵌着するとともに、ノズル被覆部７４をノズル６７に嵌着して、アダプターＣ４ａにカバー体Ｃ４ｂを装着している。その際、アダプターＣ４ａの係止突条６５に係合突条７２を乗り越え係合させて抜け出しの防止を図っており、また、アダプターＣ４ａの各係止溝６６に各係合凸部７３を嵌合させて、アダプターＣ４ａに対するカバー体Ｃ４ｂの適正方向の設置が可能にしている。その他の構成、作用は第１実施例と同様であるため、同符号を付して説明を省略する。
【００５０】
尚、上記各部材は主として合成樹脂により形成され、必要に応じて、エラストマー、或いは金属等を併用することができる。
【符号の説明】
【００５１】
１：ポンプ
Ａ：装着キャップ
１０…周壁、１１…頂壁
Ｂ：シリンダ
２０…フランジ、２１…周壁部、２２…底壁部、２３…第１逆止弁座、
２４…外気導入孔、２５…パイプ嵌合筒、２６…パッキン
３０：補助キャップ
３１…装着基部、３２…螺筒
３５：逆止弁部材
３６…嵌合筒、３７…台座、３８…弾性片、３９…第１逆止弁体
Ｃ：作動部材
Ｃ１：ステム
４０…ステム本体部、４１…外筒部、４２…内筒部、４３…開口部
Ｃ２：ピストンガイド
５０…嵌着基部、５１…第２逆止弁座、５２…案内筒部、５３…案内突起
Ｃ３：環状のピストン
５５…内部摺動部、５６…外部摺動部、５７…連結部
Ｃ４：吐出ヘッド
Ｃ４ａ：アダプター
６０…縦筒、６１…係合筒、６２…横筒、６３…頂板、６４…係止段部、
６５…係止突条、６６…係止溝
Ｃ４ｂ：カバー体
７０…カバー筒部、７０ａ…頂壁、７０ｂ…周壁、７０ｃ…外周壁、７１…ノズル部、
７２…係合突条、７３…係合凸部、７４…ノズル被覆部、７５…切欠き窓
Ｃ５：外気導入孔開閉部材
８０…基筒部、８１…開閉筒部
Ｘ：ポンプ基体
Ｖ１：第１逆止弁
Ｖ２：第２逆止弁
ｓ：コイルスプリング
ｐ：流路
ｈ：吐出口
１００：容器体
１０１…口頸部
【図１】
2015030461.tif 000003
【図２】
2015030461.tif 000004
【図３】
2015030461.tif 000005
【図４】
2015030461.tif 000006
【図５】
2015030461.tif 000007
【図６】
2015030461.tif 000008